(57)【特許請求の範囲】
【請求項１】
ハウジング（１１）と、該ハウジング（１１）の中に摺動可能に設けられたノブスライダー（１２）と、
前記ハウジング（１１）の一方の開口部に位置して設けられたスイッチ部（１４）とを具備し、
前記ノブスライダー（１２）に形成された係合部（１５）が前記スイッチ部（１４）の接点開閉用のシャフト（１６）に形成された溝部（１６ａ）に係合してなるスイッチ（１０）において、
前記係合部（１５）は、それぞれ係止爪（１５ａ）を有する１対の支持部（１５ｂ）からなり、該支持部（１５ｂ）の形状が門形状であることを特徴とするスイッチ部とノブスライダーの係合部構造。
【請求項２】
ハウジング（１１）と、該ハウジング（１１）の中に摺動可能に設けられたノブスライダー（１２）と、
前記ハウジング（１１）の一方の開口部に位置して設けられたスイッチ部（１４）とを具備し、
前記ノブスライダー（１２）に形成された係合部（１５）が前記スイッチ部（１４）の接点開閉用のシャフト（１６）に形成された溝部（１６ａ）に係合してなるスイッチ（１０）において、
前記係合部（１５）は、それぞれ係止爪（１５ａ）を有する１対の支持部（１５ｂ）からなり、該支持部（１５ｂ）の形状が片持梁状であることを特徴とするスイッチ部とノブスライダーの係合部構造。
【発明の詳細な説明】
【０００１】
【発明の属する技術分野】
本発明はスイッチ部とノブスライダーの係合部構造に関する。詳しくは、スイッチ部の接点開閉用のシャフトに設けられた溝部と、該溝部に係止するようにノブスライダーに設けられた係止部との係合部構造において、前記係止部の爪部を支持する支持部の形状を門形状又は片持梁状にして、その弾力性を向上したことにより爪部の高さを低くしてスイッチを小型化できるようにしたスイッチ部とノブスライダーの係合部構造に関する。
【０００２】
【従来の技術】
従来のスイッチの１例を図４に示す。同図（ａ）は分解斜視図、（ｂ）は（ａ）図のｂ−ｂ線における断面図である。同図において、符号１は表ノブ、２はハウジング、３はノブスライダー、４はプリント基板、５はスイッチ部である。そして、前記ハウジング２は略四角形筒状をなし、その内面の少なくとも３辺に、中心軸に平行した案内溝２ａが形成されている。またノブスライダー３は、前記ハウジング２の中を摺動可能な段付の四角形筒状をなし、その外面にはハウジング２の案内溝２ａに対応した位置に断面凸状のレール３ａが形成されている。
【０００３】
また、プリント基板４にはスイッチ部５が半田付けされている。そして、該スイッチ部５はスイッチハウジング５ａと、該スイッチハウジング５ａに摺動可能設けられて図示なき接点をオンオフする接点開閉用のシャフト５ｂとよりなり、該シャフト５ｂの頭部近傍には係合溝５ｃが形成されている。また、前記ノブスライダー３には（ｂ）図に示すように、前記シャフト５ｂの係合溝５ｃに係合する爪６ａを有する係合部６が設けられている。なお、符号７はシャフト５ｂに当接する突き当て部である。
【０００４】
そして、ハウジング２には（ａ）図に示すプリント基板４が取り付けられ、ノブスライダー３は前面に表ノブ１を取着してハウジング２に挿入され、前記係合部６の爪６ａをスイッチ部５のシャフト５ｂの係合溝５ｃに係合して組み立てられる。
【０００５】
【発明が解決しようとする課題】
上記のような従来のスイッチにおいては、図４に示すスイッチ部５のスイッチハウジング５ａの上面から係合溝５ｃまでの寸法Ｅが小さいスイッチを使用する場合には、図５に示すように、係合部６の爪６ａの高さＡを低くする必要がある。ところが、爪６ａの高さＡを低くすると、爪６ａがＡ−Ｂと薄くなり強度が弱くなる。且つＡ寸法を小さくすると面取り角度が小さくなるため、スイッチのシャフト挿入時に、爪６ａに掛かる負担が大きくなる。また、爪６ａの高さＡを低くしたまま強度を上げようとして、支持部６ｂ間の寸法Ｃを狭くすると、成形金型の中子の厚みが薄くなり中子の強度が弱くなるという問題がある。
【０００６】
本発明は、上記従来の問題点に鑑み、係合部の係合爪の高さを低くしても、係合爪のシャフトとの係合時の負担が大きくならず、且つ、成形金型の中子の強度も落ちないようにした、スイッチ部とノブスライダーの係合部構造を実現することを目的とする。
【０００７】
【課題を解決するための手段】
上記目的を達成するため、本発明のスイッチ部とノブスライダーの係合部構造は、ハウジング１１と、該ハウジング１１の中に摺動可能に設けられたノブスライダー１２と、前記ハウジング１１の一方の開口部に位置して設けられたスイッチ部１４とを具備し、前記ノブスライダー１２に形成された係合部１５が前記スイッチ部１４の接点開閉用のシャフト１６に形成された溝部１６ａに係合してなるスイッチ１０において、前記係合部１５は、それぞれ係止爪１５ａを有する１対の支持部１５ｂからなり、該支持部１５ｂの形状が門形状または片持梁状であることを特徴とする。
【０００８】
この構成を採ることにより、係合部の爪の高さを低くしても、爪のシャフト挿入時の負担が大きくならず、且つ、成形金型の中子の強度も落ちないようにした、スイッチ部とノブスライダーの係合部構造が得られる。
【０００９】
【発明の実施の形態】
図１は本発明のスイッチ部とノブスライダーの係合部構造の第１の実施の形態を示す図で、（ａ）は断面図、（ｂ）はノブスライダーの係合部の斜視図である。同図（ａ）において、符号１０は本実施の形態のスイッチ部とノブスライダーの係合部構造を用いたスイッチであり、本スイッチ１０は、略四角形筒状のハウジング１１と、該ハウジング１１の中に摺動可能に設けられた箱形のノブスライダー１２と、該ハウジング１１の一方の開口部に設けられたプリント基板１３と、該プリント基板１３に設けられたスイッチ部１４とを具備しており、該スイッチ部１４はスイッチハウジング１４ａと、該スイッチハウジング１４ａに摺動可能に設けられて図示なき接点を開閉するシャフト１６とを有している。なお、符号１２ａはノブスライダーの前面を蓋した表ノブである。
【００１０】
また、ノブスライダー１２には、スイッチ部１４のシャフト１６に設けられた溝部１６ａに係合する係合部１５が形成されている。この係合部１５は（ｂ）図に示すように、それぞれ係止爪１５ａを有する１対の支持部１５ｂからなり、該支持部１５ｂは門形状をなしている。なお、符号１７は、スイッチ部１４のシャフト１６の先端を当接させる突き当て部である。そして、前記、係止爪１５ａは（ａ）図に示すようにスイッチ部１４のシャフト１６に形成された溝部１６ａに係合している。
【００１１】
このように構成された本実施の形態を用いたスイッチ１０は、表ノブ１２ａを押圧または解放することにより、スイッチ部１４の接点を開閉することができる。また本実施の形態のスイッチ部とノブスライダーの係合部構造は、ノブスライダー１２に設けた係合部１５の係合爪１５ａを支持する支持部１５ｂを門形状に形成したことにより、支持部１５ａが撓み易くなり、スイッチ部のシャフト１６に係合する時の応力を小さくすることができる。従って係合爪１５ａの厚さを薄くでき、図４で説明したスイッチハウジング５ａの上面から係合溝５ｃまでの寸法Ｅが小さいスイッチを用いることが可能となる。
【００１２】
また、本実施の形態における係合部１５を形成する金型は、図２に示すように、門形状の支持部１５ｂの内側を形成する中子１８（２点鎖線で示す）の厚さＴを支持部１５ｂの厚さより厚くすることができるため、中子１８の強度を大きくすることができる。
【００１３】
図３は本発明のスイッチ部とノブスライダーの係合部構造の第２の実施の形態を示す斜視図である。本実施の形態は、同図に示すように、係合部１５の支持部１５ｂの形状を片持梁状としたもので、他は前実施の形態と同様である。このように構成された本実施の形態は、前実施の形態に比べ、強度は落ちるがその作用、効果は前実施の形態と同様である。
【００１４】
【発明の効果】
本発明のスイッチ部とノブスライダーの係合部構造に依れば、ノブスライダーに設けた係合部の係合爪を支持する支持部の形状を門形状または片持梁状にしたことにより、支持部が撓み易くなり、係止爪の高さを低くし面取り角度が小さくなってもスイッチ部のシャフトに係合する時の応力を小さくすることができる。また、係止爪の高さを低くすることによりスイッチを小型化することができる。さらに、係合部を形成する金型は、支持部の内側を形成する中子の厚さを厚くすることができるため、中子の強度を大きくすることができる。
【図面の簡単な説明】
【図１】本発明のスイッチ部とノブスライダーの係合部構造の第１の実施の形態を示す図で、（ａ）は断面図、（ｂ）はノブスライダーの係合部の斜視図である。
【図２】図１（ｂ）のＡ−Ａ線における断面図である。
【図３】本発明のスイッチ部とノブスライダーの係合部構造の第２の実施の形態を示す図である。
【図４】従来のスイッチの１例を示す分解斜視図である。
【図５】図４における係合部の拡大断面図である。
【符号の説明】
１０…スイッチ
１１…ハウジング
１２…ノブスライダー
１２ａ…表ノブ
１３…プリント基板
１４…スイッチ部
１４ａ…スイッチハウジング
１５…係合部
１５ａ…係止爪
１５ｂ…支持部
１６…シャフト
１６ａ…溝部
１７…突き当て部
１８…中子
【図１】
0004285931.tif 000002
【図２】
0004285931.tif 000003
【図３】
0004285931.tif 000004
【図４】
0004285931.tif 000005
【図５】
0004285931.tif 000006